(57)【特許請求の範囲】
【請求項１】
軒樋の耳部をスライド自在に嵌め込んで支持するための上横片部と縦片部と下横片部とを備えた略コ字状の耳部支持部を設けた軒樋吊り具であって、上記軒樋吊り具の耳部支持部が帯状の金属板を略コ字状に折曲げることで形成され、該耳部支持部の下横片部の、軒樋の長手方向と平行な巾方向中央部に、上記縦片部からの突出基部から先端にわたって巾方向両側部位よりも上方に向けて凸曲成した中央凸曲部が形成され、中央凸曲部の下横片部の先端に対応する部位から下方に向けて案内片が一体に形成され、該中央凸曲部の上面部の巾方向の両側が下り傾斜となり、上記中央凸曲部を有する下横片部を中央凸曲部を含めて耳部支持部の縦片部側が低くなる形状として成ることを特徴とする軒樋吊り具。
【発明の詳細な説明】
【技術分野】
【０００１】
本発明は、軒樋の耳部をスライド自在に嵌め込んで支持するための耳部支持部を備えた軒樋吊り具に関するものである。
【背景技術】
【０００２】
従来から、軒樋１の耳部２をスライド自在に嵌め込んで支持するための耳部支持部３を備えた軒樋吊り具４は、その主体が帯状の金属板を折り曲げ加工することで形成してある。
【０００３】
そして、このような帯状の金属板を折り曲げ加工することで形成された従来の軒樋吊り具は、帯状の金属板を長手方向に折り曲げて略コ字状をした耳部支持部３を形成してあり、耳部支持部３としては耳部支持部３の補強をするために図３、図４のように耳部支持部３の巾方向の両端部を上方に折り曲げてリブ１２を形成したり、あるいは特許文献１のように耳部支持部３の下横片部５の巾方向の中央部を下方に向けて凹ませてリブを形成したりしたリブ付きタイプのものと、図５、図６に示すように単に帯状の金属板を長手方向に折り曲げて略コ字状をした耳部支持部３を形成したリブ無しタイプのものとに大別される。
【０００４】
図３、図４に示すリブ付きタイプのものは、コ字状の内面に流れた雨水は巾方向の両側にリブ１２があるため、下横片部５の先端から図４の矢印のように流れ、軒樋１の側面側に流れる（特許文献１においては、巾方向の中央部に凹設した凹み内に雨水が流れて溜まり、溜まった雨水が下横片部５の先端である凹みの先端から軒樋１の側面側に流れる）。このため、軒樋１の軒樋吊り具４で支持された部分の側面及び下面に軒樋吊り具４を伝って流れた跡が筋状の汚れとなってしまう。
【０００５】
また、図５、図６に示すリブ無しタイプのものは、リブがないのでリブ付きタイプのものに比べて耳部支持部３における強度が弱く、更に、このものも、下横片部５がほぼ平坦であるため、平坦な下横片部５に耳部２の下面が面接触で載置され、軒樋吊り具を流れた雨水は、大部分が下横片部５の先端から図６の矢印のように流れて軒樋１の側面側に流れ、軒樋１の軒樋吊り具で支持された部分の側面及び下面に軒樋吊り具４を伝って流れた跡が筋状の汚れとなってしまう。
【０００６】
また、上記いずれの従来例にあっても、軒樋１の耳部の下面が帯状の金属板の巾方向の端部のエッジ部分に当って、軒樋１のスライドの際にエッジ部分に引っ掛かってスライド性が悪く、また、軒樋１の耳部２の外面が傷付くと言う問題がある。
【特許文献１】特開平７−２１７１２１号公報
【発明の開示】
【発明が解決しようとする課題】
【０００７】
本発明は上記の従来の問題点に鑑みて発明したものであって、軒樋吊り具から流れる雨水が軒樋の側面及び下面に流れないようして軒樋の側面及び下面に筋状の汚れが生じないようにでき、また、軒樋の耳部のスライド性がよく、しかも、耳部支持部の強度も強い軒樋吊り具を提供することを課題とするものである。
【課題を解決するための手段】
【０００８】
上記課題を解決するために本発明に係る軒樋吊り具は、軒樋１の耳部２をスライド自在に嵌め込んで支持するための上横片部１１と縦片部１３と下横片部５とを備えた略コ字状をした耳部支持部３を設けた軒樋吊り具４であって、上記軒樋吊り具４の耳部支持部３が帯状の金属板を略コ字状に折曲げることで形成され、該耳部支持部３の下横片部５の、軒樋１の長手方向と平行な巾方向中央部に、上記縦片部１３からの突出基部から先端にわたって巾方向両側部位よりも上方に向けて凸曲成した中央凸曲部６が形成され、中央凸曲部６の下横片部５の先端に対応する部位から下方に向けて案内片２０が一体に形成され、該中央凸曲部６の上面部の巾方向の両側が下り傾斜となり、上記中央凸曲部６を有する下横片部５を中央凸曲部６を含めて耳部支持部３の縦片部１３側が低くなる形状として成ることを特徴とするものである。
【０００９】
このような構成とすることで、軒樋１の耳部２の下面部は、耳部支持部３の下横片部５の中央凸曲部６部分でしか支持されず、また、この耳部２の下面を支持する中央凸曲部６の巾方向の両側が下り傾斜し、更に下横片部５が中央凸曲部６を含めて耳部支持部３の縦片部１３側が低くなる形状としているため、耳部支持部３の内面に沿って流れた雨水は、中央凸曲部６部分においては中央凸曲部６の縦片部１３側に集まって巾方向の両側から下横片部５の巾方向両側部分の一段低くなった耳部２と接していない部分に流れ、下横片部５の巾方向両側部分の一段低くなった部分に流れた雨水は、下横片部５の両側部の縦片部１３側の低い所から下横片部５の両側端からそれぞれ下方に流下するものであって、軒樋１の側面側に流れることがない。また、軒樋１の耳部２を耳部支持部３に嵌め込んで支持した状態で、耳部２の下面部２ａは耳部支持部３の下横片部５の巾方向中央部の中央凸曲部６上に載置して支持されることになり、軒樋１がスライドする際、耳部２の下面部２ａは中央凸曲部６上をスライドするので、耳部２の下面部２ａは下横片部５の側端縁のエッジ部に当らず、エッジ部に引っ掛かることなく、スムーズにスライドすることができる。また、この際、中央凸曲部６の端部は帯状金属板のエッジではないため、耳部２はエッジに引っ掛かることなくスムーズにスライドすることができる。また、下横片部５の巾方向中央部に上方に向けて凸曲成した中央凸曲部６を形成することで、軒樋１の耳部２を支持するための耳部支持部３の強度が向上する。
【発明の効果】
【００１０】
本発明は、上記のように、耳部支持部の内面に流れた雨水が軒樋の側面に流れないようして軒樋の側面に筋状の汚れが生じないようにでき、また、軒樋の耳部のスライド性がよく、しかも、耳部支持部の強度も強くなる。
【発明を実施するための最良の形態】
【００１１】
以下、本発明を添付図面に示す実施形態に基いて説明する。
【００１２】
軒樋吊り具４の主体を構成する軒樋吊り具本体８は、帯状の金属板をプレスにより折り曲げ加工して形成してある。図１に示すように、軒樋吊り具本体８は、長手方向の中央片部９の両端部がそれぞれ上斜め外方に向けて突出した傾斜片部１０となり、両傾斜片部１０の先端部に略コ字状をした耳部支持部３を形成してある。
【００１３】
軒樋吊り具本体８は、両耳部支持部３の縦片部１３の大部分と下横片部５を除いて、中央片部９の巾方向の両端部、両傾斜片部１０の巾方向の両端部、両耳部支持部３の上横片部１１の巾方向の両端部にわたって、巾方向の両端部が内側（下方）に向けて折り曲げてあってリブ１２が形成してある。
【００１４】
略コ字状をした耳部支持部３の縦片部１３の大部分（上端部を除く部分）と下横片部５には、巾方向中央部（ここで、下横片部５の巾方向とは、軒樋１の長手方向と平行な方向を巾方向とする）を上方に向けて凸曲成するように屈曲させることで中央凸曲部６が形成してある。
【００１５】
上記中央凸曲部６は巾方向の両端部が下り傾斜した傾斜部１４となっている。
【００１６】
また、下横片部５は中央凸曲部６を含めて耳部支持部３の縦片部１３側ほど低くなるように傾斜させてある。
【００１７】
また、両耳部支持部３のうち一方の耳部支持部３の中央凸曲部６の下横片部５の先端に対応する部位から下方に向けて案内片２０が一体に折り曲げて形成してある。
【００１８】
上記の構成の軒樋吊り具本体８の中央片部９の中央部には吊りボルト１５の下端部がナット１６により固着してある。
【００１９】
また、軒樋吊り具本体８の中央片部９の下面部の両端部にはそれぞれ弾性を有する外れ防止片１７の後端部が固着具１８により固着してあり、外れ防止片１７の先端部が下横片部５の先端部に小隙間を介して略対向している。
【００２０】
上記の構成の軒樋吊り具４は軒樋１を建物の屋根の軒先に吊り下げ支持するために用いられる。
【００２１】
本発明の軒樋吊り具４で吊り下げ支持する軒樋１は上方が開口する断面略Ｕ字状をしており、両側片の上端部にそれぞれ耳部２を設けて構成してある（図の実施形態では両側片の上端に外側方に突出する耳部２を設けて構成してある）。
【００２２】
施工に当っては、上記軒樋吊り具４の吊りボルト１５を建物の屋根の軒先（例えば折版屋根の端部）に取付け、軒樋１の一側部の耳部２を軒樋吊り具４の一方の略コ字状をした耳部支持部３の下横片部５の先端部と弾性を有する外れ防止片１７の先端部との間から押し込み、外れ防止片１７を変形させることで、該一側部の耳部２を略コ字状をした耳部支持部３内に嵌め込む。
【００２３】
次に、軒樋１の他側部の耳部２を軒樋吊り具４の他方の略コ字状をした耳部支持部３の下横片部５の先端部の下方に垂設した案内片２０に沿って上方に押し上げて、弾性を有する他方の外れ防止片１７を上方に変形させながら該外れ防止片１７の先端部と耳部支持部３の下横片部５の先端部との間の小隙間から上方に押し込んで、該他側部の耳部２を略コ字状をした他の耳部支持部３内に嵌め込む。
【００２４】
両耳部支持部３内に嵌め込まれた両耳部２はそれぞれ下面部２ａが耳部支持部３の下横片部５の巾方向中央部の中央凸曲部６上に載置して支持されることになる。
【００２５】
このように、本発明においては、耳部支持部３内に嵌め込まれた耳部２の下面部２ａが耳部支持部３の下横片部５の巾方向中央部の中央凸曲部６の中央部の最も高い部分の上に載置して支持されるので、施工の際に軒樋１をスライドする際、あるいは、施工後の軒樋１の伸縮により軒樋１がスライドする際、耳部２の下面部２ａは下横片部５の側端縁のエッジ部に当らず、エッジ部に引っ掛かることなく、スムーズにスライドすることができることになる。
【００２６】
したがって、施工性が向上し、また、施工後に軒樋１が伸縮する際に軒樋１がエッジに引っ掛かることで変形したりすることがなく、また、スライドする際、エッジ部に擦られることで、軒樋１が傷付くことがない。
【００２７】
しかも、下横片部５の巾方向中央部に上方に向けて凸曲成した中央凸曲部６を形成することで、この中央凸曲部６が補強リブの役目をして軒樋１の耳部２を支持するための耳部支持部３の強度が向上するものである。
【００２８】
また、耳部支持部３の内面に沿って流れた雨水は下横片部５の内面（上面）に流れるのであるが、この場合、上記のように、軒樋１の耳部２の下面部は、耳部支持部３の下横片部５の中央凸曲部６部分でしか支持されず、また、この耳部２の下面を支持する中央凸曲部６の巾方向の両側が下り傾斜し、更に下横片部５が中央凸曲部６を含めて耳部支持部３の縦片部１３側が低くなる形状としているため、下横片部５の内面に沿って流れた雨水は、中央凸曲部６部分においては中央凸曲部６の縦片部１３側に集まって巾方向の両側から図２の矢印イのように下横片部５の巾方向両側部分の一段低くなった耳部２と接していない部分に流れることになり、中央凸曲部６の先端から軒樋１の側面側には流れない。また、下横片部５の巾方向両側部分の一段低くなった部分に流れた雨水は、下横片部５の両側部の縦片部１３側の低いくなった部分に集まり、ここから図２の矢印ロのように下横片部５の巾方向の両側端からそれぞれ下方に流下するものであって、下横片部５の先端から軒樋１の側面側に流れることがない。
【００２９】
したがって、軒樋１の軒樋吊り具４で支持された部分の側面及び下面に軒樋支持具を伝って流れた跡が筋状の汚れとなることがない。
【図面の簡単な説明】
【００３０】
【図１】本発明の軒樋吊り具に軒樋を吊り下げ支持している状態の正面図である。
【図２】（ａ）は同上の耳部支持部の拡大斜視図であり、（ｂ）は下横片部の断面図である。
【図３】従来例の軒樋吊り具に軒樋を吊り下げ支持している状態の正面図である。
【図４】同上の耳部支持部の下横片部に流れた雨水の流出方向を示すための斜視図である。
【図５】他の従来例の軒樋吊り具に軒樋を吊り下げ支持している状態の正面図である。
【図６】同上の耳部支持部の下横片部に流れた雨水の流出方向を示すための斜視図である。
【符号の説明】
【００３１】
１  軒樋
２  耳部
３  耳部支持部
４  軒樋吊り具
５  下横片部
６  中央凸曲部
【図１】
0004966173.tif 000002
【図２】
0004966173.tif 000003
【図３】
0004966173.tif 000004
【図４】
0004966173.tif 000005
【図５】
0004966173.tif 000006
【図６】
0004966173.tif 000007